(57)【特許請求の範囲】
【請求項１】
メインロックと、サブロックと、メインロックとサブロックの自動施錠機構とを備え、メインロック及びサブロックは戸に固定しており、それぞれ錠孔部を有するシリンダと、サムターンと、錠孔部又はサムターンの回転に連動して施解錠するデッドボルトとを有し、自動施錠機構はメインロックの錠孔部回転位置感知センサと、サブロックの錠孔部回転位置感知センサと、戸開閉状態感知センサと、メインロックの錠孔部又はサブロックの錠孔部が解錠位置に回転してから戸が開くまでの経過時間を測定するタイマーと、メインロックの錠孔部及びサムターンを施錠位置に回転するメインロックの駆動モータと、サブロックの錠孔部及びサムターンを施錠位置に回転するサブロックの駆動モータと、メインロックの駆動モータ及びサブロックの駆動モータの駆動制御装置とを有し、駆動制御装置はメインロック及びサブロックの何れか一方のロックの錠孔部が解錠位置に回転してからの経過時間が予め設定した時間を経過しても戸が開位置にない場合に、一方のロックの駆動モータを駆動して錠孔部及びサムターンを施錠位置に回転することを特徴とする錠装置。
【請求項２】
錠孔部回転位置感知センサ及び駆動モータはそれぞれメインロック及びサブロックのサムターン台座内に設けてあり、駆動制御装置及びタイマーはそれぞれメインロック及びサブロックのサムターン台座の少なくとも一方の台座内に設けてあり、戸開閉状態感知センサは、戸と戸枠との間に設けてあることを特徴とする請求項１に記載の錠装置。
【発明の詳細な説明】
【０００１】
【発明の属する技術分野】
本発明は、戸の錠装置に関する。
【０００２】
【従来の技術】
特許第３１９３９５７号公報には、ピッキングを防止するための錠装置が開示されている。この公報に開示されている錠装置は、ロックは一つだけであり、ロックの錠孔部にピッキング治具が挿入されたことをセンサが感知してから、所定時間経過しても錠孔部回転位置センサが錠孔部の開錠位置への回転を感知しない場合に、ロック機構がシリンダの錠孔部の回転を阻止して解錠しないようにするものである。
【０００３】
【発明が解決しようとする課題】
しかし、上述の公報に開示の技術では、ロックが一つだけなので、ピッキングにより、解錠される可能性がある。
また、ピッキング治具の挿入を感知するセンサ、錠孔部の回転を感知するセンサ、シリンダ錠孔部のロック機構はシリンダに付加するものであり、シリンダ自体が複数のドライバピン、タンブラーピン、及びバネ等を有する複雑な構成になっているのに加えて、これらのセンサやロック機構を設けるのでは、シリンダが更に複雑な構成になり小型化できないという問題がある。
そこで、本発明は、ピッキングによる侵入防止を図るとともに、シリンダの構成を複雑にすることなく且つ容易に製造できる施錠装置の提供を目的とする。
【０００４】
【課題を解決するための手段】
請求項１に記載の発明は、メインロックと、サブロックと、メインロックとサブロックの自動施錠機構とを備え、メインロック及びサブロックは戸に固定しており、それぞれ錠孔部を有するシリンダと、サムターンと、錠孔部又はサムターンの回転に連動して施解錠するデッドボルトとを有し、自動施錠機構はメインロックの錠孔部回転位置感知センサと、サブロックの錠孔部回転位置感知センサと、戸開閉状態感知センサと、メインロックの錠孔部又はサブロックの錠孔部が解錠位置に回転してから戸が開くまでの経過時間を測定するタイマーと、メインロックの錠孔部及びサムターンを施錠位置に回転するメインロックの駆動モータと、サブロックの錠孔部及びサムターンを施錠位置に回転するサブロックの駆動モータと、メインロックの駆動モータ及びサブロックの駆動モータの駆動制御装置とを有し、駆動制御装置はメインロック及びサブロックの何れか一方のロックの錠孔部が解錠位置に回転してからの経過時間が予め設定した時間を経過しても戸が開位置にない場合に、一方のロックの駆動モータを駆動して錠孔部及びサムターンを施錠位置に回転することを特徴とする。
【０００５】
この請求項１に記載の発明では、室外側からドアの施錠をするときには、メインロックとサブロックとの複数のロックのそれぞれについて、シリンダを回転してデッドボルトにより施錠する。従って、施錠はメインロックとサブロックとによる多重のロックであるから、第三者によるピッキングが困難である。
一方、第三者によるピッキングが行われようとした場合には、第三者はまずメインロック又はサブロックのいずれかのロックを解錠しようとして治具を用いてシリンダを操作する。このようなピッキング操作により一方のロックが解錠してしまった場合、次に他方のロックを解錠することになるが、一方のロックが解錠すると回転位置感知センサは、一方のロックの錠孔部が解錠位置に回転したことを感知し、駆動制御装置がこの感知信号を受けるとタイマーがスタートして経過時間を測定する。そして、駆動制御装置は、予め設定した時間が経過した後、戸開閉状態感知センサから戸の開位置信号を受けていない場合に、一方のロックの駆動モータに駆動信号を発して解錠位置にある錠孔部及びサムタ―ンを施錠位置に回転するようにモータを駆動する。これにより、すでに開いている一方のロックを閉じる。従って、その後、他方のロックのピッキングに成功して他方のロックを解錠したとしても、すでに解錠したはずの一方のロックが施錠しているため、戸を開くことができない。
仮に、再度一方のロックをピッキングにより開いても、所定時間が経過すると同様にして今度は他方のロックが閉じる。即ち、本発明では、ピッキング操作が成功して一方のロックが解錠してしまっても所定時間内に他方のロックも解錠し且つ戸を開かない限りは他方のロックが閉じて戸を開けないので、防犯性が極めて高い。
【０００６】
請求項２に記載の発明は、請求項１に記載の発明において、錠孔部回転位置感知センサ及び駆動モータはそれぞれメインロック及びサブロックのサムターン台座内に設けてあり、駆動制御装置及びタイマーはそれぞれメインロック及びサブロックのサムターン台座の少なくとも一方の台座内に設けてあり、戸開閉状態感知センサは、戸と戸枠との間に設けてあることを特徴とする。
【０００７】
この請求項２に記載の発明では、請求項１に記載の発明の作用効果を奏するとともに、自動施錠機構の施錠回転位置感知センサ及び駆動モータは各サムターン台座内に設けてあり、駆動制御装置及びタイマーはいずれもサムターン台座内に設けてあり、複雑な構成のシリンダに付加しないので製造が容易である。更に、戸開閉状態感知センサも、戸と戸枠との間に設けており、シリンダとは別に設けているので、シリンダの構成を複雑にすることなく且つ製造しやすい。
【０００８】
【発明の実施の形態】
以下に、添付図面を参照して本発明の実施の形態を詳細に説明する。図１の（ａ）は本実施の形態にかかる錠装置を備えた玄関ドアを室内側から見た正面図であり、（ｂ）は（ａ）に示すメインロックの台座の正面図であり、（ｃ）は（ａ）に示すサブロックの台座の正面図であり、図２は図１（ａ）に示す戸を戸先側から見た側面図であり、図３は図１のＡ−Ａ断面図であり、図４は図１（ａ）に示す錠装置のブロック図であり、図５はピッキング防止機能における駆動制御装置のフローチャートであり、図６は閉め忘れ防止機能における駆動制御装置のフローチャートである。尚、図３において、一点鎖線で抜き出して示しているのはデッドボルト１７の正面図である。
本実施の形態にかかる錠装置１は、玄関戸２の錠装置であり、キーによる施解錠操作と、リモコン４による施解錠操作との両方の操作が可能となっている。この錠装置１は、戸２の戸先側に取り付けたメインロック３とサブロック５と、これらの自動施錠機構７とから構成されており、メインロック３は取手９の下側にあり、サブロック５はメインロック３に対して取手９を挟んだ上側に設けてある。
メインロック３及びサブロック５には、それぞれ錠孔部（内筒）１５を有するシリンダ１１と、サムターン１３と、デッドボルト１７とが設けてあり、デッドボルト１７は錠孔部１５及びサムターン１３の回転に連動して戸枠１９に設けたストライク２１に係合することにより施錠し、ストライク２１との係合が解除されて解錠する。
シリンダ１１の錠孔部１５とサムターン１３とは、それぞれ回転板２３の回転軸に連結されており、回転板２３の回転によりこれに連結されたデッドボルト１７が戸先から出たり戸先に引っ込んだりするようになっている。
メインロック３及びサブロック５において、シリンダ１１の錠孔部１５及びサムターン１３に連動する回転板２３は、サムターン台座３９、４１に設けられたギアであり、回転板２３は駆動モータ３３、３５の駆動歯車と噛みあって駆動モータ３３の駆動により一方向に回転板２３を回転してデットボルト１７を戸先から出し、他方に回転してデッドボルト１７を引っ込めるようになっている。デッドボルト１７はカマ式デッドボルト１７ａと直動式のデッドボルト１７ｂとを組み合わせたもので２つのデッドボルト１７ａ、１７ｂが同時に出たり引っ込んだりする構成であり、ストライク２１との係合が外れにくく防犯性が高い。
自動施錠機構７は、メインロック３の錠孔部回転位置感知センサ２５と、サブロック５の錠孔部回転位置感知センサ２７と、戸開閉状態感知センサ２９と、タイマー３１とメインロックの駆動モータ３３と、サブロックの駆動モータ３５と、各駆動モータ３３、３５の駆動を制御する駆動モータの駆動制御装置３７とから構成されている。
回転板２３には、下面に被感知部材４５が設けてあり、回転板２３の下面に対向した位置に錠孔回転位置センサ２５、２７が、被感知部材４５の周囲方向における位置を感知することにより、錠孔部が解錠位置にあるか施錠位置にあるかを検知する。錠孔回転位置センサ２５、２７は、回転板の周方向に配置された解錠位置感知センサ４７と施錠位置感知センサ４９とで構成されており、被感知部材４５が解錠位置及び施錠位置にあることを感知する。
被感知部材４５は磁性体であり、解錠位置感知センサ４７と施錠位置感知センサ４９とは磁性体を感知するものである。
戸開閉状態感知センサ２９は、リードスイッチであり、戸枠１９に設けた磁石が近接位置にあるときに戸開閉状態感知センサ２９がＯＮになり、戸が開いて戸先が戸枠１９から離れたときにＯＦＦになる。
駆動制御装置３７は、メインロック３の駆動モータ３３及びサブロック５の駆動モータ３５の駆動を制御して、メインロック３及びサブロック５の施解錠を制御するものである。この駆動制御装置３７は、タイマー３１、メインロックの錠孔部回転位置感知センサ２５及びサブロックの錠孔部回転位置感知センサ２７に接続されており、メインロック３及びサブロック５のいずれか一方が解錠位置になってから所定時間経過した場合には開いているロックを閉じるように制御するものであるが、その制御内容は後述する。
また、本実施の形態では、メインロック３及びサブロック５の施解錠は、リモコン操作によってもできるようになっており、自動施錠機構７には、リモコン４からの信号を受けるアンテナ５７が設けられており、駆動制御装置３７はリモコンからの施錠信号及び解錠信号に基づいて駆動モータ３３、３５の駆動を制御するようになっている。
自動施錠機構７の錠孔部回転位置感知センサ２５、２７、タイマー３１、駆動モータ３３、３５の各構成部品は、サムターン台座３９、４１内に設けており、複雑な構成のシリンダ１１に付加しないので、錠装置１の製造が容易である。更に、戸開閉状態感知センサ２９も、戸２と戸枠１９との間に設けており、サムターン台座３９、４１やシリンダ１１とは別に設けているので、これらの構成を複雑にすることなく且つ取り付けやすい。
また、メインロック３のサムターン台座３９には、ロックの施解錠状態を表示する表示部５９が設けてあり、ロックが開状態又は閉状態のいずれかのときにはＬＥＤにより点灯するようになっている。尚、図１中、符号６１は電源である。
【０００９】
次に、本実施の形態にかかる錠装置の施解錠及び作用について説明する。錠装置を施錠するときには、メインロック３及びサブロック５との２つのロックを施錠するが、施錠はリモコン４の施錠ボタンを操作すると、自動施錠機構７のアンテナ５７がその信号を受信して駆動制御装置３７はメインロック３及びサブロック５の各駆動モータ３３、３５を駆動する。これら駆動モータ３３、３５の駆動により回転板２３が回転し、回転板２３の軸に連結されたデッドボルト１７が連動して突出て戸枠１９のストライクに係合して、メインロック３及びサブロック５の両者を同時に施錠する。即ち、施錠装置１は、メインロック３とサブロック５とによる多重の施錠である。
また、メインロック３とサブロック５とはそれぞれ、シリンダ１１の錠孔部１５にキーを差し込んで施解錠してもよく、本実施の形態では、キーによる施錠とリモコン４による施開錠との両方が可能である。キーによる施錠の場合には、メインロック３とサブロック５との両方の錠孔部１５にそれぞれキーを差し込んで施解錠することになる。
一方、錠装置１を解錠する場合には、リモコン２による解錠の場合には、その解錠ボタンを操作することにより、上述の施錠操作と同様にメインロック３とサブロック５とを同時に解錠する。
第三者によるピッキングが行われようとした場合には、第三者はまずメインロック３又はサブロック５のいずれか一方のロックからピッキング用の治具を錠孔部１５に差し込んで解錠操作することになる。このようなピッキング操作により一方のロック３（又は５）が解錠してしまった場合、次に他方のロック５を解錠することになるが、一方のロック３（又は５）が解錠すると自動施錠機構７の回転位置感知センサ２５（又は２７）が錠孔部１５が解錠位置に回転したことを感知する。
図５に示すように、駆動制御装置３７では、ステップＳ１でメインロック３及びサブロック５のいずれかから開信号があるか否か感知し、何れかのロック３、５の開信号を受けると、ステップＳ２でタイマー３１のカウントを開始し、ステップＳ３で予め設定した所定時間経過したか否か判断する。ピッキングが行われている場合には、メインロック３及びサブロック５をすぐに解錠することはなく、ピッキング操作による解錠は家主のキー操作による解錠時間よりも長くかかり、一方のロック３を解錠後に他方のロック５を解錠するためには予め設定した所定時間を超えてしまうことになる。
そして、所定時間経過後、ステップＳ４で戸開閉状態検知センサ２９から開信号を受けたか否か判断し、予め設定した時間が経過した後にも戸開閉状態感知センサ２９から戸２の開位置信号を受けていない場合に、ステップＳ５で一方のロック３の駆動モータ３３に駆動信号を発して、一方のロック３の錠孔部１５及びサムタ―ン１３を施錠位置に回転するように、モータ３３を駆動する。これにより、前に一度開けた一方のロック３を閉じる。従って、その後、他方のロック５のピッキングに成功して他方のロック５を解錠したとしても、すでに解錠したはずの一方のロック３が施錠しているため、戸２を開くことができない。
仮に、再び一方のロック３をピッキングにより解錠しようとしても、予め設定した所定時間が経過すると、同様にして今度は他方のロック５が閉じてしまう。即ち、本実施の形態では、一方のロック３のピッキング操作が成功して一方のロック３が解錠してしまっても所定時間内に他方のロック５も解錠し且つ戸２を開かない限りは他方のロック５が閉じて戸２を開くことができないので、防犯性が極めて高い。
次に、図６を参照して、錠装置１の閉め忘れ防止機能について説明する。リモコン４を所持している家主が出かける場合には、リモコン操作によっても施錠装置１を施錠することができるが、このようなリモコン４による施錠をした場合において、例えば、一旦施錠したものの、忘れものをしたと思いあわてて施錠装置１をリモコン４により解錠したが、すぐに忘れたと思っていたものを所持していたことに気がついて、錠装置１を解錠したのを忘れてそのまま出かけてしまった場合や、無意識でリモコンの解錠ボタンが押されてしまった場合等があるが、このような閉め忘れが生じた場合にも閉め忘れ防止機能は施錠装置１が解錠のままになるという不都合を防止するものである。
即ち、自動施錠機構７では、ステップＳ１１で駆動制御装置３７が戸の開信号を受けると、ステップＳ１２でメインロックの駆動モータ３３及びサブロックの駆動モータ３５を駆動して錠孔部１５及びサムターン１３を施錠位置に回転する。次に、ステップＳ１３でタイマー３１のカウンとを開始し、ステップＳ１４で所定時間経過したか否か判断し、所定時間経過後、ステップＳ１５で戸開閉状態感知センサ２９から戸２の開信号を受けたか否か判断し、戸開閉状態感知センサ２９から戸２の開位置信号を受けていない場合には、ステップＳ１６で一方のロック３の駆動モータ３３及び他方のロック５の駆動モータ３５に駆動信号を発して解錠位置にある錠孔部１５及びサムタ―ン１３を施錠位置に回転するように、モータ３３を駆動する。これにより、前に一度開けたロック３、５を施錠する。従って、一度ロック３、５を閉じたが、無意識にロック３、５を解錠してしまった場合にも、自動的にロック３、５を施錠し、いわゆる錠の掛け忘れを防止できる。
【００１０】
本発明は、上述した実施の形態に限らず、本発明の要旨を逸脱しない範囲で種々変形可能である。
戸２は回転により開くもののほか引戸であってもよい。
サブロック５はひとつに限らず２つ、３つ等、複数あってもよい。
錠装置１は、リモコン操作とキー操作との２つの操作が併用可能に設けることに限らず、キー操作のみにより施解錠するものであってもよい。
設定時間は、正当なキーの持ち主（家主）がキー操作により一方のロックの解錠に必要な時間より長い時間であればよく、ロックの種類や使用される場所等に応じて任意に設定できる。
メインロック３及びサブロック５の錠孔部回転位置検知センサ２５、２７は、それぞれ回転板２３に設けた磁性体４５を検知することに限らず、回転板２３の貫通孔を感知するものであってもよい。この場合センサ２５、２７には、回転板２３を挟んだ位置に発光ダイオードとフォトダイオードとを設けたエンコーダを用いる。
また、回転板２３はギアに限らず、錠孔部１５及びサムターン１３とともに回転する円板であってもよい。
タイマー３１は、サブロック５のみにあってもよく、更にメインロック３とサブロック５との両方にあってもよい。また、駆動制御装置３７もサブロック５のみにあってもよく、更にメインロック３とサブロック５との両方にあってもよい。
錠装置１における閉め忘れ防止機能は、メインロック３とサブロック５との複数のロックがある必要はなく、ロックは一つであってもよい。
【００１１】
【発明の効果】
請求項１に記載の発明によれば、ピッキングしようとする第三者は多重のロックを解錠しなければならないとともに、仮に一方のロックの解錠に成功して、続いて他方のロックを解錠したとしても、他方のロックの解錠に予め設定した所定時間を超えると、すでに解錠したはずの一方のロックが施錠してしまうため、戸を開くことができず、防犯性が極めて高い。
【００１２】
請求項２に記載の発明によれば、請求項１に記載の発明の効果を奏するとともに、自動施錠機構の施錠回転位置感知センサ等の各構成部品は、サムターン台座内に設け、複雑な構成のシリンダに付加しないので錠装置の小型化が可能であり且つ製造が容易である。
【図面の簡単な説明】
【図１】（ａ）は本実施の形態にかかる錠装置を備えた玄関ドアを室内側から見た正面図であり、（ｂ）は（ａ）に示すメインロックの台座内部の正面図であり、（ｃ）は（ａ）に示すサブロックの台座内部の正面図である。
【図２】図１（ａ）に示す戸を戸先側から見た側面図である。
【図３】図１のＡ−Ａ断面図である。
【図４】図１（ａ）に示す錠装置のブロック図である。
【図５】ピッキング防止機能における駆動制御装置のフローチャートである。
【図６】閉め忘れ防止機能における駆動制御装置のフローチャートである。
【符号の説明】
１    錠装置
２    戸
３    メインロック
５    サブロック
７    自動施錠機構
１１  シリンダ
１３  サムターン
１５  錠孔部
１７  デッドボルト
１９  戸枠
２３  回転板
２５  メインロックの錠孔部回転位置感知センサ
２７  サブロックの錠孔部回転位置感知センサ
２９  戸開閉状態感知センサ
３１  タイマー
３３  メインロックの駆動モータ
３５  サブロックの駆動モータ
３７  駆動制御装置
３９  メインロックの台座
４１  サブロックの台座
【図１】
0004103130.tif 000002
【図２】
0004103130.tif 000003
【図３】
0004103130.tif 000004
【図４】
0004103130.tif 000005
【図５】
0004103130.tif 000006
【図６】
0004103130.tif 000007